(57)【特許請求の範囲】
【請求項１】
シート積載台上に積載されたシート状物を１枚ずつ供給する供給手段と、この供給手段によって供給されたシート状物を供給方向下流側へ搬送するローラとを備えた枚葉輪転印刷機におけるシート状物供給装置において、前記ローラを中央部のローラ本体部とこのローラ本体部よりも細径状に形成した両端部の軸部とによって形成し、この軸部上に沿うようにシート状物の搬送方向に延在し前記ローラのローラ本体部よりも低い位置で搬送されるシート状物の両端部を案内するシート状物案内部材を設け、前記シート状物案内部材をシート状物の幅方向の両端部に一対設け、これら一対のシート状物案内部材間に、前記シート積載台上に積載されたシート状物の供給方向側を規制する規制位置と、前記供給手段から供給されるシート状物から退避した退避位置との間で移動自在に支持されたシート状物規制部材を設け、前記シート状物規制部材の幅と、前記ローラ本体部の全長とが等しく、前記シート状物規制部材の両外側に前記シート状物案内部材が配設されていることを特徴とする枚葉輪転印刷機におけるシート状物供給装置。
【請求項２】
請求項１記載の枚葉輪転印刷機におけるシート状物供給装置において、前記ローラ本体部の全長の寸法が、供給されるシート状物の最小のサイズの幅と同じ長さに形成されていることを特徴とする枚葉輪転印刷機におけるシート状物供給装置。
【発明の詳細な説明】
【０００１】
【発明の属する技術分野】
本発明は、紙積台に積載された紙を最上位から１枚ずつフィーダボード上に給紙する枚葉輪転印刷機におけるシート状物供給装置に関する。
【０００２】
【従来の技術】
この種のシート状物供給装置として最も典型的なものとして枚葉輪転印刷機における給紙装置がある。この給紙装置は、紙積台に積載された紙の最上位の紙を吸着し１枚ずつフィーダボード側に搬送するサッカー装置と、このサッカー装置によって搬送された紙をフィーダボード上に送り出す紙送りローラとが備えられている。紙積台に積載された紙の上部は、最上位の紙が搬送される際に紙ずれが発生しないように、紙規制部材によって規制されている。この紙規制部材は、最上位の紙が搬送される際に倒伏して紙の搬送経路から退避し、最上位の紙が搬送された後は立設した状態になって、積載された紙の先端に当接して紙ずれを規制するように揺動自在に支持されている。
【０００３】
【発明が解決しようとする課題】
上述した従来の枚葉輪転印刷機においては、紙の厚さが０．２ｍｍ以上のいわゆる厚紙と呼ばれている紙で、幅方向のサイズが比較的大きい紙をサッカー装置でフィーダボード側に搬送する場合、紙の重量等に起因して幅方向の両端部が垂れ下がることがある。このため、垂れ下がった両端部が紙の搬送経路から退避している紙規制部材に当接したり、あるいは紙送りローラに接触して、紙送りローラによって紙の送り出しが円滑に行われないことにより、安定した連続給紙ができないという問題があった。このことは、紙積台に積載された紙の高さが高くなった場合にも、積載された紙の幅方向の両端部が垂れ下がることにより、紙が元の状態に戻らずに湾曲されたままの状態でサッカー装置で吸着され搬送されるので、上述したことと同じ問題が発生していた。
【０００４】
本発明は上記した従来の問題に鑑みなされたものであり、その目的とするところは、紙のサイズにかかわらずに安定した連続給紙を可能にした枚葉輪転印刷機におけるシート状物供給装置を提供することにある。
【０００５】
【課題を解決するための手段】
この目的を達成するために、請求項１に係る発明は、シート積載台上に積載されたシート状物を１枚ずつ供給する供給手段と、この供給手段によって供給されたシート状物を供給方向下流側へ搬送するローラとを備えた枚葉輪転印刷機におけるシート状物供給装置において、前記ローラを中央部のローラ本体部とこのローラ本体部よりも細径状に形成した両端部の軸部とによって形成し、この軸部上に沿うようにシート状物の搬送方向に延在し前記ローラのローラ本体部よりも低い位置で搬送されるシート状物の両端部を案内するシート状物案内部材を設け、前記シート状物案内部材をシート状物の幅方向の両端部に一対設け、これら一対のシート状物案内部材間に、前記シート積載台上に積載されたシート状物の供給方向側を規制する規制位置と、前記供給手段から供給されるシート状物から退避した退避位置との間で移動自在に支持されたシート状物規制部材を設け、前記シート状物規制部材の幅と、前記ローラ本体部の全長とが等しく、前記シート状物規制部材の両外側に前記シート状物案内部材が配設されているものである。
したがって、供給手段によって供給されるシート状物の両端部が下方に垂れ下がったとしても、シート状物案内部材に当接しない。また、シート状物規制部材によって紙ずれが規制される。
【０００６】
また、請求項２に係る発明は、請求項１に係る発明において、前記ローラ本体部の全長の寸法が、供給されるシート状物の最小のサイズの幅と同じ長さに形成されているものである。
【０００７】
【発明の実施の形態】
以下、本発明の実施の形態を図を用いて説明する。図１は本発明に係るシート状物供給装置の側面図、図２は同じく紙規制部材の揺動機構を説明する側面図である。図３（ａ）は図１におけるIII（ａ）部の詳細図、 同図（ｂ）は同図（ａ）におけるIII（ｂ） 矢視図である。
図１において、全体を符号１で示すものは、シート状物供給装置としての枚葉輪転印刷機の給紙装置であって、左右一対のＬ字状の原動側の給紙フレーム２ａと操作側の給紙フレーム２ｂが備えられている。
【０００８】
３は紙積台であって、チェーン４，４によって昇降自在に吊り下げられ、シート状物としての紙６が積載された紙積板５が載置され、紙積板５に積載された紙６は複数の紙当て７によって先端が揃えられている。紙当て７の上方には、図２および図３（ｂ）に示すように、シート状物規制部材としての紙規制部材１０が設けられ、この紙規制部材１０は、左右のフレーム２，２間に横架された軸９に下端部が揺動自在に支持されている。図３に示すように、この紙規制部材１０は、左右のフレーム２，２間の中央に左右一対設けられ、これら一対の紙規制部材１０，１０の左右方向の寸法Ｌ１は、給紙される紙６の最小のサイズの幅と同じ長さに形成されている。
【０００９】
次に、図２を用いて紙規制部材１０の揺動機構１１について説明する。
この揺動機構１１は原動側の給紙フレーム２ａの外側に設けられ、周面に大径部と小径部が形成されたカム１３と、このカム１３に対接するカムフォロア１４と、このカムフォロア１４を回転自在に支持する揺動板１５と、この揺動板１５に回動習性を付与する圧縮コイルばね１６と、揺動板１５と紙規制部材１０を連結するレバー１７とによって概略構成されている。
【００１０】
カム１３は本機の原動機の駆動によって回転する駆動軸２０に軸着され、本機の駆動と同期して回転する。揺動板１５は駆動側の給紙フレーム２ａに植設された軸２１に略中央部が回転自在に支持され、全体が略三角形に形成されている。２２は原動側の給紙フレーム２ａに枢着されたスタッドであって、このスタッド２２の貫通孔（図示せず）に摺動軸２３の一端が摺動自在に支持されている。この摺動軸２３の他端の頭部２３ａは揺動板１５の３個の角部のうちの一つに枢着され、この頭部２３ａとスタッド２２との間には圧縮コイルばね１６が弾装されている。
【００１１】
したがって、揺動板１５は軸２１を回動中心として図中時計方向に回動するように付勢され、カムフォロア１４がカム１３の周面に押し付けられている。レバー１７はわずかに湾曲形成され、一端に揺動板１５の３個の角部のうちの一つに枢着され、他端が紙規制部材１０の上端部に枢着されている。
【００１２】
このように構成されていることにより、カムフォロア１４がカム１３の小径部に対接しているときは、紙規制部材１０が立設した状態に保持されている。この状態から、カム１３が回転してカム１３の大径部にカムフォロア１４が対接すると、揺動板１５が圧縮コイルばね１６の弾発力に抗して、軸２１を回動中心として反時計方向に回動するので、紙規制部材１０がレバー１７を介して軸９を回動中心として図２中時計方向に回動する。したがって、紙規制部材１０は図３（ａ）に二点鎖線で示すように、上端が後述する紙送りローラ２５のローラ本体部２５ａの上端と略同じ位置に位置付けられるように傾いた状態で倒伏する。
【００１３】
図１において、２４は平板状に形成された紙ガイドであって、紙規制部材１０の上方に水平状態に設けられ、図示を省略したサッカー装置によって紙６を搬送する際に、紙６の暴れを規制しながら後述するフィーダボード２６側に案内する。図３（ａ）に示すように、紙送りローラ２５は紙規制部材１０の紙搬送方向下流側（図中矢印Ａ方向）に設けられ、中央部に全長がＬ１に形成された一対のローラ本体部２５ａ，２５ａと、両端部にローラ本体部２５ａよりも細径状に形成された軸部２５ｂ，２５ｂとよって形成されている。この紙送りローラ２５は、軸部２５ｂ，２５ｂが左右の給紙フレーム２ａ，２ｂに回転自在に支持され、図示を省略しているが原動側の給紙フレーム２ａから軸部２５ｂが突出し、この突出部に軸着されたギアを介して本機の原動機の駆動が伝達されるように構成されている。
【００１４】
図１において、２６はフィーダボードであって、紙送りローラ２５によってこのフィーダボード２６上に送り出された紙６は、テープローラ２７に張架されたテープ２８の走行によって図中矢印Ａ方向に搬送される。
【００１５】
次に、図３を用いて本発明の特徴である紙案内部材３０について説明する。
紙案内部材３０は全体が薄板の金属によって断面が略逆Ｌ字状に折り曲げ形成され、上下方向に延在する当部３０ａと、当部３０ａの上端から紙搬送方向（矢印Ａ方向）に漸次上昇するように延在する案内部３０ｂとからなる。３２は左右の給紙フレーム２ａ，２ｂ間に横架されたロッドであって、このロッド３２にブラケット３３が固定され、このブラケットに埋め込まれたボルト３４を介して紙案内部材３０が固定されている。
【００１６】
同図（ａ）に示すように、固定された紙案内部材３０の当部３０ａは立設した状態の紙規制部材１０の延長線上の下方に位置付けられ、案内部３０ｂはローラ２５のローラ本体部２５ａの上端よりも下方に位置付けられ、案内部３０ｂの先端はフィーダボード２６に連設されている。また、同図（ｂ）に示すように、この紙案内部材３０は左右一対の紙規制部材１０，１０の両側に一対設けられ、これら左右一対の紙案内部材３０，３０の両端間の間隔Ｌ２は、給紙される紙６の最大のサイズの幅と同じ長さに形成されている。
【００１７】
次に、このような構成の給紙装置における給紙動作を説明する。
図１において、紙積板５上に積載された紙６の最上位の紙を図示を省略したサッカー装置の吸口によって吸着し、さらに別の吸口に吸着替えしてから矢印Ａ方向に搬送すると、図２において、カム１３の大径部にカムフォロア１４が対接するので、図３（ａ）において二点鎖線で示すように紙規制部材１０が倒伏する。
【００１８】
したがって、倒伏した紙規制部材１０の上方を紙６が搬送され、紙送りローラ２５のローラ本体部２５ａに紙６が添接することにより、この紙送りローラ２５によって紙６がフィーダボード２６上に送り出される。紙６の後端が紙規制部材１０上を通過すると、図２に示すように、カムフォロア１４がカム１３の小径部に対接し、紙規制部材１０は軸９を回動中心として図中反時計方向に回動して立設した状態になるので、最上位の紙６の搬送に追従して起こる積載された紙６の上部の紙ずれが矯正される。
【００１９】
ここで、紙６の幅のサイズが、図３（ｂ）においてＬ１より大きい場合には、サッカー装置の吸口に吸着され搬送される際に、紙６の幅方向の両端部が垂れ下がる。この垂れ下がった両端部に対応した位置には、紙案内部材３０，３０が設けられ、この紙案内部材３０，３０の紙案内部３０ｂが、紙送りローラ２５のローラ本体部２５ａの上端よりも低い位置に位置付けられている。したがって、紙６の垂れ下がった両端部がローラ本体部２５ａの上端よりも低い位置を搬送されても、紙案内部材３０，３０の当部３０ａ，３０ａに当接することがない。また、紙６の垂れ下がった両端部は、紙案内部材３０，３０の紙案内部３０ｂ，３０ｂによって円滑にフィーダボード２６に案内されるので、搬送された紙６の給紙が停止することなく、安定した連続給紙が可能になる。
【００２０】
また、紙案内部材３０の当部３０ａが、立設した状態の紙規制部材１０の延長線上の下方に位置付けられていることにより、この当部３０ａによって紙当て７と同じように、紙積板５上に積載されたサイズの大きい紙６の先端が揃えられる。したがって、サッカー装置によって給紙される前に、これら紙案内部３０の当部３０ａや紙当て７によって紙ずれが規制されるので、サッカー装置によって給紙された紙６の先端が曲がったり、ずれたりするようなことがないので、安定した給紙が可能になる。
【００２１】
紙案内部材３０を紙規制部材１０と別に設けたが、紙規制部材１０の両側に一体に紙ガイドとして形成し、あらかじめこの紙ガイドを図３（ａ）に二点鎖線で示す紙規制部材１０と同じような傾きをもたせておいてもよい。この場合、紙規制部材１０を倒伏させると、この紙ガイドが紙送りローラ２５のローラ本体部２５ａの上端よりも低い位置に位置付けられるので、この紙ガイドに紙案内部材３０の紙案内部３０ｂと同じ機能をもたせることができる。また、紙６の搬送速度が比較的遅く、サッカ装置によって最上位の紙６が搬送される際に、これに追従して２枚目以降の紙６のずれが小さい場合には、紙規制部材１０は必ずしも必要としない。また、シート状物を紙６としたが、フィルム状のシートでもよく、種々の設計変更が可能である。
【００２２】
【発明の効果】
以上説明したように、請求項１に係る発明によれば、供給手段によって供給されるシート状物の両端が下方に垂下されていても、シート状物案内部材に当接することないので、安定した連続給紙が可能になる。また、給紙される前に、シート状物規制部材によって紙ずれが規制されるので、供給手段によって供給された紙の先端が曲がったり、ずれたりするようなことがないので、安定した給紙が可能になる。
【図面の簡単な説明】
【図１】  本発明に係るシート状物供給装置の側面図である。
【図２】  本発明に係るシート状物供給装置における紙規制部材の揺動機構を説明する側面図である。
【図３】  同図（ａ）は図１におけるIII（ａ）部の詳細図、 同図（ｂ）は同図（ａ）におけるIII（ｂ） 矢視図である。
【符号の説明】
１…給紙装置、３…紙積台、６…紙、７…紙当て、１０…紙規制部材、１１…揺動機構、２５…紙送りローラ、２５ａ…ローラ本体部、２５ｂ…軸部、２６…フィーダボード、３０…紙案内部材、３０ａ…当部、３０ｂ…紙案内部。
【図１】
0004350888.tif 000002
【図２】
0004350888.tif 000003
【図３】
0004350888.tif 000004